(57)【要約】【課題】端末でのデータダウンロード時の消費電力の低減と、使い勝手を向上したデータダウンロードシステム向けのデータダウンロード用制御回路を提供する。【解決手段】データダウンロードシステム１００におけるデータダウンロード用制御回路１４０１であって、入力した放送データから対象のダウンロードデータを取得する放送データ受信部４１と、出力処理部４３と、保存処理部４２と、タイマー制御部４４とを有する制御部４を有し、制御部４は、タイマー制御部４４によって外部のタイマー７に前記ダウンロードデータの受信周期の設定を行い、ダウンロード予約された時間の間、外部のタイマー７からの前記受信周期毎の通知に応じて、放送データ受信部４１、保存処理部４２、および外部の受信部３を起動・停止させて、前記ダウンロードデータのダウンロード保存処理を行う。【選択図】図１４
2008312166.tif 000002
【特許請求の範囲】
【請求項１】
放送データを入力し、該放送データ中のダウンロードデータのダウンロードを予約により行うデータダウンロードシステムにおけるデータダウンロード用制御回路であって、
所定の条件に従い、入力した放送データから対象の前記ダウンロードデータを取得する放送データ受信部と、前記放送データ受信部によって取得された前記ダウンロードデータを出力形式に処理する出力処理部と、前記放送データ受信部によって取得された前記ダウンロードデータを保存処理して記憶装置に出力する保存処理部と、該データダウンロード用制御回路の外部のタイマーの設定を行う信号を出力するタイマー制御部とを有する制御部を有し、
前記制御部は、所定の条件に従い、前記タイマー制御部によって前記外部のタイマーに前記ダウンロードデータの受信周期の設定を行い、ダウンロード予約された時間の間、前記外部のタイマーからの前記受信周期毎の通知に応じて、前記放送データ受信部、前記保存処理部、および該データダウンロード用制御回路の外部の受信部を起動・停止させて、前記ダウンロードデータのダウンロード保存処理を行うことを特徴とするデータダウンロード用制御回路。
【請求項２】
放送データを入力し、該放送データ中のダウンロードデータのダウンロードを予約により行うデータダウンロードシステムにおけるデータダウンロード用制御回路であって、
所定の条件に従い、入力した放送データから対象の前記ダウンロードデータを取得する放送データ受信部と、前記放送データ受信部によって取得された前記ダウンロードデータを出力形式に処理する出力処理部と、前記放送データ受信部によって取得された前記ダウンロードデータを保存処理して記憶装置に出力する保存処理部と、該データダウンロード用制御回路の内部のタイマーの設定を行う信号を出力するタイマー制御部とを有する制御部と、タイマーとを有し、
前記制御部は、所定の条件に従い、前記タイマー制御部によって前記タイマーに前記ダウンロードデータの受信周期の設定を行い、ダウンロード予約された時間の間、該タイマーからの前記受信周期毎の通知に応じて、前記放送データ受信部、前記保存処理部、および該データダウンロード用制御回路の外部の受信部を起動・停止させて、前記ダウンロードデータのダウンロード保存処理を行うことを特徴とするデータダウンロード用制御回路。
【請求項３】
請求項１または２記載のデータダウンロード用制御回路において、
前記放送データ受信部は、事前にまたはユーザーによるダウンロード予約時に指定されたデータタイプ、またはダウンロード予約の対象である放送番組のジャンルと、該放送番組の放送データ内に設定されているデータタイプまたは放送番組のジャンルとに基づいて、入力した放送データから対象のダウンロードデータを取得することを特徴とするデータダウンロード用制御回路。
【請求項４】
請求項１〜３のいずれか１項記載のデータダウンロード用制御回路において、
前記制御部は、事前にまたはユーザーによるダウンロード予約時に指定されたデータタイプ、またはダウンロード予約の対象である放送番組のジャンル、または該放送番組についての電子番組表（ＥＰＧ）内の情報に従い、前記外部のタイマーまたは前記タイマーに前記ダウンロードデータの受信周期の設定を行うことを特徴とするデータダウンロード用制御回路。
【請求項５】
請求項１〜３のいずれか１項記載のデータダウンロード用制御回路において、
前記制御部は、ダウンロードの予約時間到来時に、ダウンロード予約の対象である放送番組の放送データから前記ダウンロードデータの受信周期の情報を取得して、前記外部のタイマーまたは前記タイマーに設定することを特徴とするデータダウンロード用制御回路。
【発明の詳細な説明】
【技術分野】
【０００１】
本発明は、放送番組中に配信されるデータを予約ダウンロードする方法に関し、特にデータカルーセル伝送方式を用いて配信されるデータについての予約ダウンロードを実行する、データダウンロードシステム向けのデータダウンロード用制御回路に適用して有効な技術に関するものである。
【背景技術】
【０００２】
従来、デジタル放送でのデータダウンロード予約の方法は、特開平１１−９８４７７号公報（特許文献１）で提案されているように、電子番組表（ＥＰＧ：Ｅｌｅｃｔｒｏｎｉｃ  Ｐｒｏｇｒａｍ  Ｇｕｉｄｅ）を用いて設定した時間に実行するようにしていた。また近年、地上波デジタルＴＶ放送や地上波デジタルラジオ放送では、放送番組とデータを多重化して同時に放送し、受信端末で放送の再生とデータのダウンロードができるようになってきている。そこで、データダウンロードの実行時には、特開２００４−１５３６９８号公報（特許文献２）のように、放送データを解析してダウンロードデータの更新有無を判断し、データをダウンロードする場合のみデータダウンロード部を動作させる方法で消費電力を低減することなども提案されている。
【特許文献１】特開平１１−９８４７７号公報
【特許文献２】特開２００４−１５３６９８号公報
【発明の開示】
【発明が解決しようとする課題】
【０００３】
番組と同時に配信されるダウンロード用データのダウンロードは、従来は、視聴番組のデータ放送部分にダウンロードできるデータがあることを表示してユーザーに知らせ、ユーザーの実行指示でデータのダウンロードを行っている。一方、データダウンロード予約は、特許文献１にも記載されているように、予約時にチャンネルと時間を設定したり、ＥＰＧ等から設定してダウンロード予約・実行を行っている。
【０００４】
しかし、従来のデータダウンロード方法では、ユーザーが番組を見ながらダウンロードを手動で実施したり、予約設定した放送時間内の放送データを受信してダウンロード用のデータの有無を常に監視しなければならず、手間がかかり無駄な電力を消費する。また、予約時間内のユーザーが意図しないデータのダウンロードの防止などには対応していない。
【０００５】
そこで本発明の目的は、端末でのデータダウンロード時の消費電力の低減と、使い勝手を向上したデータダウンロードシステム向けのデータダウンロード用制御回路を提供することにある。
【０００６】
本発明の前記ならびにその他の目的と新規な特徴は、本明細書の記述および添付図面から明らかになるであろう。
【課題を解決するための手段】
【０００７】
本願において開示される発明のうち、代表的なものの概要を簡単に説明すれば、次のとおりである。
【０００８】
本発明によるデータダウンロード用制御回路は、放送データを入力し、該放送データ中のダウンロードデータのダウンロードを予約により行うデータダウンロードシステムにおけるデータダウンロード用制御回路であって、所定の条件に従い、入力した放送データから対象の前記ダウンロードデータを取得する放送データ受信部と、前記放送データ受信部によって取得された前記ダウンロードデータを出力形式に処理する出力処理部と、前記放送データ受信部によって取得された前記ダウンロードデータを保存処理して記憶装置に出力する保存処理部と、該データダウンロード用制御回路の外部のタイマーの設定を行う信号を出力するタイマー制御部とを有する制御部を有し、前記制御部は、所定の条件に従い、前記タイマー制御部によって前記外部のタイマーに前記ダウンロードデータの受信周期の設定を行い、ダウンロード予約された時間の間、前記外部のタイマーからの前記受信周期毎の通知に応じて、前記放送データ受信部、前記保存処理部、および該データダウンロード用制御回路の外部の受信部を起動・停止させて、前記ダウンロードデータのダウンロード保存処理を行うことを特徴とするものである。
【発明の効果】
【０００９】
本願において開示される発明のうち、代表的なものによって得られる効果を簡単に説明すれば以下のとおりである。
【００１０】
本発明によれば、放送されるデータのダウンロードを行う端末の消費電力低減と、ユーザーの使い勝手を向上したデータダウンロードシステム向けのデータダウンロード用制御回路を提供することが可能となる。
【発明を実施するための最良の形態】
【００１１】
以下、本発明の実施の形態を図面に基づいて詳細に説明する。なお、実施の形態を説明するための全図において、同一部には原則として同一の符号を付し、その繰り返しの説明は省略する。
【００１２】
＜実施の形態１＞
図１は、本発明の実施の形態１であるデータダウンロードシステムの構成を示した図である。
【００１３】
データダウンロードシステム１００は、例えば地上波デジタルＴＶ放送や地上波デジタルラジオ放送を受信できる携帯電話やＰＤＡ（Ｐｅｒｓｏｎａｌ  Ｄｉｇｉｔａｌ  Ａｓｓｉｓｔａｎｔｓ）などの携帯端末装置や、同様に地上波デジタルＴＶ放送や地上波デジタルラジオ放送を受信できる家庭のビデオデッキやＤＶＤレコーダー、コンポなどの音楽プレーヤーやラジオなどの録画録音装置などであり、放送局２００からの放送波を受信し、放送波に含まれるデータをダウンロードして保存することができる。また、データダウンロードシステム１００は、ネットワーク３００と接続し、電子番組表（ＥＰＧ：Ｅｌｅｃｔｒｏｎｉｃ  Ｐｒｏｇｒａｍ  Ｇｕｉｄｅ）や暗号解読キー、コンテンツなどを提供するサーバー４００との間のデータの送受信が可能である。
【００１４】
アンテナ１は、ラジオやテレビの放送波を受信する装置である。操作部２は、固定端末のキーボタン部分やキーボード、タッチパネル、音声で命令を入力する装置など、ユーザーの意向や指示を入力する際に用いられるものである。受信部３は、アンテナ１を介して受信した信号よりデータを取り出す処理を行うチューナーなどの装置である。
【００１５】
制御部４は、ＣＰＵなどの処理装置を含む回路で構成され、操作部２からの命令や送受信部８からのデータの処理、受信部３からの放送データの処理とメモリ部５への保存や出力部６への出力、タイマー７の設定および放送データ受信部４１や受信部３の電源のＯＮ／ＯＦＦ制御などを行う。
【００１６】
メモリ部５は、メモリＩＣやハードディスク等のデータを記憶する記憶装置で、ダウンロードなどによって入手したデータを保存する。着脱可能なメモリカードや、外部に接続された記憶装置等で実現してもよいし、その両方を供えているものであっても良い。出力部６は、スピーカーやイヤホン出力端子、メイン／サブの液晶画面やＬＥＤなどであり、音声、映像、文字やバイブレータによる振動など、ユーザーへの通知や情報を提示する装置である。
【００１７】
タイマー７は、時間カウンターや時計などの時間を計測する装置で、タイマー制御部４４の設定にしたがって、制御部４に対して受信部３や放送データ受信部４１の動作タイミングを通知する。送受信部８は、モデム回路や無線送受信回路等の装置であり、ネットワーク３００と接続し、外部のサーバー４００や無線用基地局とのデータの送受信を行う。
【００１８】
前記制御部４は、放送データ受信部４１、ダウンロードしたデータなどの保存処理を行う保存処理部４２、放送データより映像、音声、文字などの出力情報を処理する出力処理部４３、制御部４の情報に従ってタイマー７の動作の制御を行うタイマー制御部４４を有し、さらに放送データ受信部４１はダウンロードデータ判定部４１１を有する構成となっている。なお、制御部４は上記各部における処理の制御のみを行うＣＰＵとし、各部の処理を他のＣＰＵ等で実現するというような構成であっても良い。
【００１９】
また、放送局２００は、テレビやラジオの番組を放送波で出力する放送局であり、ネットワーク３００は、インターネットなどの通信網である。また、サーバー４００は、ネットワーク３００に接続したデータサーバーなどであり、ＥＰＧデータなどをネットワーク３００経由で配信する。
【００２０】
次に、本実施の形態におけるデータダウンロードシステム１００の動作の概要について説明する。
【００２１】
地上波デジタルＴＶ放送や地上波デジタルラジオ放送の放送局２００から送信されてくるデータは、ＭＰＥＧ−２を用いたシステムで種々の異なるタイプのデータが放送ＴＳ（Ｔｒａｎｓｐｏｒｔ  Ｓｔｒｅａｍ）として多重化されており、番組の映像や音声とともに、ダウンロード用の様々な種類のデータをデータダウンロードシステム１００で受信することができる。
【００２２】
図２は、放送局２００から送信されてくるデータの構成とデータ受信のタイミングを表した図である。図２に示すように、ダウンロード用の様々な種類のデータ（データＡ，Ｂ，Ｃ）は、ＴＳの構成データ、番組情報データ、映像データ、音声データなどと同時に多重化して送信され、データダウンロードシステム１００はそれぞれを識別して、映像や音声は画面などに出力し、ダウンロード用のデータは指定されたときのみダウンロードなどの処理を行うことができる。ダウンロード用のデータは、データカルーセル伝送方式で伝送される。これは例えば図２においてデータＡが５回繰り返し伝送されるような方式であり、受信側では同じダウンロード用データを、ある期間繰り返し受信することができる。
【００２３】
従来の予約ダウンロード方式は、ダウンロード用データと同時に送られてくる構成データなどによりダウンロード用データの更新有無を検出してダウンロードの実行を行っていた。本実施の形態におけるデータダウンロードシステム１００では、予約した時間の間、受信部３や放送データ受信部４１、保存処理部４２などを周期的に起動・終了させ、ユーザーの所望するタイプのダウンロード用データを効率的に検出して保存する処理を行う。上記各部を周期的に起動して受信しても、データカルーセル伝送方式ではデータは繰り返し送られるため、このうちの１回でも受信できれば良い。
【００２４】
データのタイプについては、後述するように送信側で構成データなどにダウンロードデータのタイプを識別するデータを入れておけば、受信側でこのデータを検出・識別して判断することができる。以上により、受信側でダウンロードデータのタイプや番組ジャンル等の番組情報によって上記の受信周期を調整することで、ダウンロード用データのタイプや番組に合った最適なデータダウンロードを行うことができ、より一層の消費電力の低減を図ることが可能となる。
【００２５】
次に、本実施の形態におけるデータダウンロードシステム１００の動作の詳細について説明する。
【００２６】
まず、ダウンロード予約時の動作について説明する。図３は、ダウンロード予約時のフローチャートである。データダウンロードシステム１００でデータダウンロードの予約設定を開始する場合には（Ｓ３０１）、図１の操作部２を操作してダウンロード予約の時間を指定する（Ｓ３０２）。図４は、ダウンロード予約時の操作部２の表示および入力例を表した図である。図４（ａ）においてダウンロード予約を選択してデータダウンロードシステム１００の制御部４に命令を送り、図４（ｂ）において予約時間を指定する。
【００２７】
制御部４のタイマー制御部４４は、指定された予約時間に制御部４にダウンロード開始時間になったことを知らせるように、タイマー７に設定する。その後、図４（ｃ）においてダウンロードするデータのデータタイプを入力して設定し（Ｓ３０３）、データダウンロード予約の処理を終了する（Ｓ３０４）。なお、図４（ｂ）では、データダウンロード予約の時間を直接入力しているが、図１のサーバー４００から電子番組表（ＥＰＧ）データをネットワーク３００及び送受信部８経由で入手し、これを提示して番組単位で時間を指定しても良い。
【００２８】
また、ダウンロードするデータのタイプについては、図４（ｃ）の画面を利用してあらかじめデータダウンロードシステム１００に設定しておくことも可能である。例えば音楽データのみダウンロードすると決めているユーザーは、あらかじめデータタイプとして音楽データを設定しておけば、予約設定の度にデータタイプの設定処理（Ｓ３０３）を行わなくて済む。また、データタイプの設定を番組ジャンルによって自動的に行うようにしてもよい。例えば、データダウンロード予約時にＥＰＧで音楽番組を指定した場合には、ダウンロードするデータのタイプを音楽データに設定する。その他、データタイプを指定しなかった場合は全てのデータを受信する設定にしたり、複数のデータタイプを組み合わせて設定できるようにしてもよい。
【００２９】
ダウンロードデータのタイプは、例えば、ダウンロード用データにデータタイプを入れておくことによって識別できる。図５は、放送データ中の構成データにデータタイプを設定する例を示した図である。最下段のダウンロード用データに、例えば音楽データは００、映像データは０１、ニュースデータは０２というようにダウンロード用データのデータタイプを定義して送信データに設定しておく。受信時には当該構成データからダウンロード用データのデータタイプを検出して、例えば値が００であれば当該ダウンロード用データは音楽データであると判断することができる。
【００３０】
受信側のデータダウンロードシステム１００では、図６に示すようにデータタイプを識別する値をあらかじめ定義しておき、例えば音楽データをダウンロードするように指定した場合は、構成データに設定されているデータタイプが音楽データの００であるデータＡだけを、所望のタイプのデータとして受信保存する。ダウンロードデータのタイプとしては、例えば音楽データ、映像データ、ニュースデータなどのほか、ゲームデータ、交通情報データ、映画などのチケットデータなど様々なタイプが考えられる。
【００３１】
本実施の形態におけるデータダウンロードシステム１００では、ダウンロードする期間を時間範囲や番組単位で設定するため、ダウンロード期間にどのようなダウンロードデータが存在しているか分からない場合に、所望のタイプのデータだけを全てダウンロードするのに有効である。これにより、個々のダウンロードデータについての詳細な放送時間が分からなくてもダウンロードすることができ、個々に予約設定が必要となる手間が省かれるため、使い勝手が向上する。
【００３２】
以上のように、本実施の形態におけるデータダウンロードシステム１００では、ユーザーの所望する時間範囲に所望するタイプのダウンロードデータをダウンロードするという予約設定を行うことができる。
【００３３】
次に、予約ダウンロードの実行時の動作について説明する。図７は、予約ダウンロード実行時のフローチャートである。予約時に設定した時間になると（Ｓ７０１）、タイマー７は制御部４にデータダウンロードの予約時間になったことを通知する。制御部４のタイマー制御部４４はタイマー７に命令を出し、予約時や事前に設定したダウンロードデータのデータタイプや番組ジャンルなどの情報に基づいて、周期的に放送データ受信部４１を起動させるタイミングを知らせるようにタイマー７を設定する（Ｓ７０２）。このタイマー設定は予約時に予約時間とともに設定しても良い。
【００３４】
タイマー７では設定値の時間になるまで時間をカウントし、設定値以上になった場合は制御部４に通知する（Ｓ７０３）。制御部４は、タイマー７からの通知のタイミングで受信部３、放送データ受信部４１および保存処理部４２を起動して放送データの受信を行う（Ｓ７０４）。
【００３５】
ここで、この起動受信処理（Ｓ７０４）の詳細について説明する。図８は、起動受信処理（Ｓ７０４）のフローチャートである。起動受信処理のタイミングになると（Ｓ８０１）、制御部４は放送データ受信部４１を起動してデータ受信を始める（Ｓ８０２）。
【００３６】
受信したデータにより、放送データ受信部４１のダウンロードデータ判定部４１１では、受信したデータの中にダウンロードすべきデータが存在するかどうかを判定する（Ｓ８０３）。ここでは、ダウンロード用のデータ自体があるかということと、ダウンロードデータがある場合に、設定したタイプのデータであるかどうかを判定する。判定の結果、所望のダウンロードデータが無い場合は起動受信処理を終了する（Ｓ８０６）。例えば図２におけるタイミング（１）のようにダウンロードデータ自体が無い場合や、タイミング（５）のようにデータがあっても所望のデータタイプ（図２の例ではデータＡ）ではない場合などが該当する。
【００３７】
所望のダウンロードデータがある場合は、前回ダウンロードしたデータと重複するかどうかを判断する（Ｓ８０４）。データカルーセル伝送方式の場合、同じデータが繰り返し送られて来るため、重複を判断しないと同じデータを受信してしまうためである。図２の例では、タイミング（２）からタイミング（３）でデータＡのダウンロードが完了しており、タイミング（４）でデータＡをダウンロードしようとした場合、前回のダウンロードデータがデータＡであるため重複する。従ってタイミング（４）ではデータのダウンロードは行わない。
【００３８】
前回のダウンロードデータとの重複を判断した結果、重複する場合は、起動受信処理を終了する（Ｓ８０６）。重複しない場合は、所望のデータを初めて受信することになるので、データダウンロードを実行し、保存処理部４２を経てメモリ部５にデータを保存する（Ｓ８０５）。図２の例では、タイミング（２）でデータのダウンロードを開始し、タイミング（３）でデータＡを全て受信できたことになるので、ここでデータダウンロードの実行を終了し、起動受信処理を終了する（Ｓ８０６）。
【００３９】
図７において、上述した起動受信処理（Ｓ７０４）が終了すると、その時点でのダウンロードすべきデータはないと判断し、制御部４は、消費電力低減のために受信部３、放送データ受信部４１および保存処理部４２を停止して電源の供給を停止する（Ｓ７０５）。このように、起動時にダウンロードすべきデータがあるかどうかを判断して、無ければ各部を停止して電源供給を停止することで、テータを常に受信したり、データの更新有無を常に監視したりする必要が無くなり、消費電力を抑えることができる。
【００４０】
次に、周期受信終了かどうかを判断する（Ｓ７０６）。ここでは、予約時間内に周期的に起動して受信処理を続けるか、周期受信を終了するかを判断する。図９は、周期受信の終了判断処理のフローチャートである。周期受信の終了判断処理を開始すると（Ｓ９０１）、制御部４は、タイマー７の次回起動時間がデータダウンロード予約の予約終了時間を超えるかどうかを判断する（Ｓ９０２）。予約終了時間を超える場合は周期受信終了と判断し、予約ダウンロード処理も終了とする（Ｓ９０３、Ｓ７０７）。予約終了時間を超えない場合は、タイマー制御部４４からの命令によりタイマー７をリセットして再スタートさせ（Ｓ９０４、Ｓ７０２）、次の周期で放送データの受信を行うようにする。
【００４１】
このように、ダウンロード予約時間の間、周期的に受信を行い、それ以外は放送受信自体を停止して常時の放送データ監視をすることなく、効率的にデータダウンロードを行うことにより電力の消費を抑えることができる。また、予約時に指定したタイプのデータのみダウンロードを行うことができるので、不要なデータのダウンロードを抑え、より一層の電力消費低減と、ユーザーの意図したデータダウンロードを行うことによる使い勝手の向上を図ることができる。
【００４２】
ここで、前述の受信周期を、ダウンロードするデータのタイプや番組に合わせて適切に設定することによって、さらに最適なデータダウンロードを行うことができる。データタイプによらずに一定の周期で受信を行う場合、例えば図２においてタイミング（１）〜（７）で周期受信するようにした場合、データＣはダウンロードできないことになる。また、データＡやデータＢをダウンロードしたい場合は、データ放送中に何回も周期受信のタイミングに該当するので、起動受信処理の電力が無駄になる。そこで、ダウンロードするデータのタイプや番組情報などによって受信周期の設定を変えることで受信ミスや不要な起動受信処理の回数を減らすことができる。
【００４３】
図１０は、データのタイプや番組のジャンルによって受信周期の設定を変える例を示した図である。例えば図１０（ａ）のように、ダウンロード予約時に設定したデータのタイプにより、制御部４のタイマー制御部４４が受信周期を設定してタイマー７を動作させることで、データのタイプに合わせて受信周期の設定を変えることができる。
【００４４】
図１１は、受信周期の設定を変える処理のフローチャートである。図１１（ａ）では、受信周期の設定をする場合（Ｓ１１０１）、ダウンロード予約時のデータのタイプに基づいて周期を決定する（Ｓ１１０２）。例えばニュースデータをダウンロードする設定の場合は、文字情報などの小さなデータが繰り返し送られ（例えば図２におけるデータＣ）、次々と変化することが考えられるため、受信ミスが無いように受信周期を短くして、例えば１分というような短い周期に設定する（Ｓ１１０３）。
【００４５】
同様に、映像データの場合はデータ量が多いため、データカルーセル伝送方式で送られる場合は送信に長時間かかることが想定される（例えば図２におけるデータＢ）。そのため、映像データのデータタイプをダウンロード予約した場合は、受信周期を長くして、例えば１０分というような周期に設定し（Ｓ１１０５）、不要な電力の消費を抑えることができる。音楽データの場合はその中間として、例えば３分間隔に設定する（Ｓ１１０４）。このようにすることで、データのタイプに合った周期受信による効率的なダウンロードを行うことができる。
【００４６】
また、図１０（ｂ）のように、放送番組のジャンルによって受信周期を設定する場合も考えられる。図１１（ｂ）のフローチャートでは、受信周期の設定をする場合（Ｓ１１１１）、ダウンロード予約時の番組ジャンルに基づいて周期を決定する（Ｓ１１１２）。例えば音楽番組の場合は、音楽が流れている時間だけデータカルーセル伝送方式で繰り返し音楽データや関連の映像データを送信するようなことが考えられる。この場合は、音楽が流れている時間、例えば約５分の間に周期受信が１回行えれば良いと考えられるので、３分間隔として受信周期を設定する（Ｓ１１１４）。
【００４７】
同様に、映画番組の場合は番組の放送時間が長いので、データカルーセル伝送方式によってデータを長時間に渡って何度も送ることが想定される。そこでそれほど短い間隔で受信する必要が無いので受信周期を１０分に設定する（Ｓ１１１５）。ニュースの場合は番組の時間が短いので、受信周期を短くして１分に設定する（Ｓ１１１３）。
【００４８】
その他、図１１（ｃ）のフローチャートのように、受信周期を、データタイプと番組ジャンルを組み合わせて判断しても良い。例えば、受信周期を設定する場合（Ｓ１１２１）、音楽データをダウンロード予約する設定で（Ｓ１１２２）、予約した番組が映画の場合（Ｓ１１２３）は、長めの１０分間隔で周期受信を行うように設定し（Ｓ１１２６）、予約した番組が音楽番組の場合は３分（Ｓ１１２５）、ニュースの場合は１分（Ｓ１１２４）など、同じ音楽データのダウンロードでも番組によって受信周期を変えて設定することができる。逆に同じ番組でもデータのタイプによって受信周期を変えて設定することもできる。
【００４９】
さらに、データのタイプや番組ジャンルだけでなく、番組の放送時間（時間帯や放送時間長）や、チャンネル、放送地域など、放送や番組の情報に基づいて受信周期を変えることも考えられる。もちろん、データのタイプや番組情報によらず、ユーザーが独自に入力して受信周期を設定してもよい。また、あらかじめデータダウンロードシステム１００に固定で設定されていてもよい。この場合はあらかじめ設定されている周期で、データ受信を起動・停止して、所望のデータを受信保存することになる。
【００５０】
また、データダウンロード予約時間中のどの部分で周期受信を行うかについても設定することが可能である。図１０（ｂ）に示すように、例えばダウンロード予約した番組のジャンルが映画である場合は、制御部４及びタイマー制御部４４で周期受信の実行を番組の最初の部分と最後の部分でのみ実行させることも可能である。例えば映画の場合は、番組の冒頭部分と最後の部分にデータや情報が多く送られることが想定されるので、このように制御することで最適な受信を行うことができる。その他、例えば音楽番組の最後の部分でのみ実行させることで、カウントダウンランキングの最後の上位ランキングの音楽のみ受信するというような処理も可能である。
【００５１】
以上のように、本実施の形態におけるデータダウンロードシステム１００では、不要な電力の消費を抑え、ユーザーの意図したデータのダウンロード予約とダウンロード実行を可能とすることで使い勝手の向上を図ることができる。
【００５２】
さらに、データダウンロードの受信周期を指定するデータを、ＥＰＧや放送データの中に配置して、その指定周期で周期受信し、データダウンロードを実行することも考えられる。この場合は、送信側で受信に最適な受信周期をデータの中に配置して送信する方式となるため、上述の方式よりもさらに確実で効率的な予約データダウンロードの周期受信の実行が可能となる。
【００５３】
図１２は、データダウンロードの受信周期を指定するデータを、ＥＰＧや放送データの中に配置する例を示した図である。例えば、データダウンロード予約時においてＥＰＧを使用して番組開始時刻と終了時刻によって予約時間を設定するとき、ＥＰＧのデータの中に図１２（ａ）に示すようにデータの周期受信に最適なデータ受信周期の情報を設定しておき、このデータを使用して前述した予約ダウンロード時の受信周期を設定する。また、例えば図１２（ｂ）のように、放送データの構成データ中の番組情報データに、データの周期受信に最適なデータ受信周期の情報を設定しておくことで、予約時間になったときに受信部３を起動し、当該情報を取得してから当該情報を基に受信周期を設定することもできる。
【００５４】
図１３は、構成データ中の番組情報データによって受信周期を設定する場合の処理のフローチャートである。データダウンロードの予約時間になると（Ｓ１３０１）、タイマー７は、制御部４にデータダウンロード予約時間になったことを通知する。制御部４は、受信部３や放送データ受信部４１の電源を入れて起動し、放送データの構成データを受信する（Ｓ１３０２）。構成データの中には、図１２（ｂ）のようにデータ受信周期の情報が設定されているので、タイマー制御部４４は、当該データ受信周期の情報を基に受信周期を決定してタイマー７に設定し、タイマー７をスタートさせる（Ｓ１３０３）。その後は、前述の図７における周期受信と同様の処理を行う。図１３におけるＳ１３０３〜Ｓ１３０８の処理は、図７におけるＳ７０２〜Ｓ７０７と同様の処理である。
【００５５】
なお、図１２（ｃ）のようにデータ受信周期がデータのタイプごとにそれぞれ設定されており、それに基づいて受信周期を決定しても良い。これにより、データタイプに応じた細かい周期受信の制御を行うことが可能となる。また、図１３の起動受信処理（Ｓ１３０５）の際に再度、図１２（ｂ）、図１２（ｃ）に示すようなデータ受信周期の情報を取得して受信周期の設定を行うようにすると、ダウンロード予約時間中の受信周期の設定を途中で変えることができる。これにより、例えば同じ音楽データのダウンロードでも、番組中のダウンロードデータの送信時間に合わせて動的に受信周期の設定を変えることができ、さらに効率的なデータダウンロードを実現することができる。
【００５６】
以上に説明したように、本実施の形態におけるデータダウンロードシステム１００によれば、放送番組中にデータカルーセル伝送方式で配信されるデータの予約ダウンロードの際に、受信周期を番組情報やデータタイプ等により適切に設定することにより、受信処理の無駄な起動による電力消費を抑え、さらにユーザーの意図するタイプのデータの予約ダウンロードを効率的に行うことが可能となる。
【００５７】
＜実施の形態２＞
本発明の実施の形態２は、実施の形態１で説明したようなデータの予約ダウンロードを行う機能を独立した制御回路として提供するものである。このような制御回路をＩＣ化して提供することなどが考えられる。
【００５８】
図１４は、本発明の実施の形態２であるデータダウンロード用制御回路の構成を示した図である。図１４（ａ）に示すように、データダウンロード用制御回路１４０１は、実施の形態１で説明したデータダウンロードシステム１００の制御部４を、独立した制御回路として実装している。
【００５９】
これにより、携帯電話やＰＤＡなどの携帯端末装置、ビデオデッキやＤＶＤレコーダー、コンポやラジオなど、地上波デジタルＴＶ放送や地上波デジタルラジオ放送を受信することができる様々な機器について、本実施の形態であるデータダウンロード用制御回路１４０１を実装することによって、実施の形態１で説明したようなデータダウンロードシステム１００を容易に実現することが可能となる。
【００６０】
なお、図１４（ａ）の構成例では、タイマー７としてデータダウンロードシステム１００を構成する端末が有するタイマー７を利用しているが、図１４（ｂ）に示すように、データダウンロード用制御回路１４０１が独自のタイマー７を有する構成であっても良い。この場合は、データダウンロードシステム１００を構成する端末にデータダウンロード用制御回路１４０１を実装する際に、データダウンロードシステム１００を構成する端末側でのタイマーの有無やタイマーの機能などによって受ける影響を少なくすることができる。
【００６１】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００６２】
本発明は、放送番組中に配信されるデータを予約ダウンロードする方法、特にデータカルーセル伝送方式を用いて配信されるデータについての予約ダウンロードを実行する、データダウンロードシステム向けのデータダウンロード用制御回路に利用可能である。
【図面の簡単な説明】
【００６３】
【図１】本発明の実施の形態１であるデータダウンロードシステムの構成を示した図である。
【図２】本発明の実施の形態１における、放送局から送信されてくるデータの構成とデータ受信のタイミングを表した図である。
【図３】本発明の実施の形態１における、ダウンロード予約時のフローチャートである。
【図４】（ａ）〜（ｃ）は、本発明の実施の形態１における、ダウンロード予約時の操作部の表示および入力例を表した図である。
【図５】本発明の実施の形態１における、放送データ中の構成データにデータタイプを設定する例を示した図である。
【図６】本発明の実施の形態１における、データタイプを識別する値を定義する例を表した図である。
【図７】本発明の実施の形態１における、予約ダウンロード実行時のフローチャートである。
【図８】本発明の実施の形態１における、起動受信処理のフローチャートである。
【図９】本発明の実施の形態１における、周期受信の終了判断処理のフローチャートである。
【図１０】（ａ）、（ｂ）は、本発明の実施の形態１における、データのタイプや番組のジャンルによって受信周期の設定を変える例を示した図である。
【図１１】（ａ）〜（ｃ）は、本発明の実施の形態１における、受信周期の設定を変える処理のフローチャートである。
【図１２】（ａ）〜（ｃ）は、本発明の実施の形態１における、データダウンロードの受信周期を指定するデータを、ＥＰＧや放送データの中に配置する例を示した図である。
【図１３】本発明の実施の形態１における、構成データ中の番組情報データによって受信周期を設定する場合の処理のフローチャートである。
【図１４】（ａ）、（ｂ）は、本発明の実施の形態２であるデータダウンロード用制御回路の構成を示した図である。
【符号の説明】
【００６４】
１…アンテナ、２…操作部、３…受信部、４…制御部、５…メモリ部、６…出力部、７…タイマー、８…送受信部、４１…放送データ受信部、４２…保存処理部、４３…出力処理部、４４…タイマー制御部、１００…データダウンロードシステム、２００…放送局、３００…ネットワーク、４００…サーバー、４１１…ダウンロードデータ判定部、
１４０１…データダウンロード用制御回路。
【図１】
2008312166.tif 000003
【図２】
2008312166.tif 000004
【図３】
2008312166.tif 000005
【図４】
2008312166.tif 000006
【図５】
2008312166.tif 000007
【図６】
2008312166.tif 000008
【図７】
2008312166.tif 000009
【図８】
2008312166.tif 000010
【図９】
2008312166.tif 000011
【図１０】
2008312166.tif 000012
【図１１】
2008312166.tif 000013
【図１２】
2008312166.tif 000014
【図１３】
2008312166.tif 000015
【図１４】
2008312166.tif 000016